(57)【要約】      （修正有）【課題】商品を載置したまま容易に商品陳列棚を設置することが可能なディスプレイ装置を提供する。【解決手段】底面板部１１と、底面板部に接合された背面板部１２と、底面板部及び面板部に接合された一対の側面板部１３とを有する。底面板部上であって背面板部及び一対の側面板部内方に立設される商品陳列棚１４を有する。商品陳列棚は、背面板部及び一対の側面板部に当接する商品陳列棚本体部１６と、商品陳列棚本体部に回動可能に接合された一対の脚部１７と、一対の脚部を商品陳列棚本体部の下方方向へ常時突出させるように付勢する付勢部材１８ａ，１８ｂとを備える。一対の脚部は、非使用時には、付勢部材の付勢力に抗して商品陳列棚本体部の裏面側に折曲配置される一方、使用時には、付勢部材の付勢力により商品陳列棚本体部の商品載置面部の下方方向に付勢されて突出する。商品陳列棚は底面板部上に立設される。【選択図】図１
0003187285.tif 000002
【実用新案登録請求の範囲】
【請求項１】
底面板部と、上記底面板部に接合された背面板部と、上記底面板部及び上記背面板部に接合された一対の側面板部とを有するディスプレイ装置であって、上記底面板部上であって上記背面板部及び上記一対の側面板部内方に立設される商品陳列棚を有し、上記商品陳列棚は、上記背面板部及び上記一対の側面板部に当接する商品陳列棚本体部と、上記商品陳列棚本体部に回動可能に接合された一対の脚部と、上記一対の脚部を上記商品陳列棚本体部の下方方向へ常時突出させるように付勢する付勢部材とを備え、上記一対の脚部は、非使用時には、上記付勢部材の付勢力に抗して上記商品陳列棚本体部の裏面側に折曲配置される一方、使用時には、上記付勢部材の付勢力により上記商品陳列棚本体部の商品載置面部の下方方向に付勢されて突出し、上記商品陳列棚は上記底面板部上に立設されることを特徴とするディスプレイ装置。
【請求項２】
上記ディスプレイ装置は、上方が開放された全体箱状に形成され、上記商品陳列棚は、上記底面板部の平面上を部分的に被覆する大きさに形成され、上記商品陳列棚が上記底面板部上に立設された場合には、商品は上記底面板部及び上記商品陳列棚上の双方に載置されることを特徴とする請求項１に記載のディスプレイ装置。
【請求項３】
上記商品陳列棚は、紙製板状であって平面全体略長方形状に形成され、上記一対の脚部は、上記商品陳列棚本体部の長さ方向両端部に形成された一対の折曲端部からなることを特徴とする請求項１に記載のディスプレイ装置。
【請求項４】
上記付勢部材は、ゴム紐からなり、上記一対の折曲端部には夫々係止部が設けられ、上記ゴム紐は、上記商品陳列棚本体部の表面側において上記係止部の間に張設され、非使用時には、上記一対の折曲端部は上記ゴム紐の付勢力に抗して裏面方向に折曲された状態で上記底面板部上に配置されていると共に、使用時には、上記商品陳列棚本体部を上昇させることにより、上記ゴム紐の付勢力により上記一対の折曲端部を上記商品陳列棚本体部の裏面方向に突出して上記一対の脚部を形成することを特徴とする請求項３に記載のディスプレイ装置。
【請求項５】
上記商品陳列棚本体部の長さ寸法は、上記底面板部の幅寸法と略同一に形成され、上記一対の折曲端部が、付勢力により上記商品陳列棚本体部の裏面側に突出した場合には、上記一対の折曲端部は、先端部が上記一対の側面板部の下端部に圧接する状態で上記底面板部上に立ち上がることを特徴とする請求項４に記載のディスプレイ装置。
【請求項６】
上記底面板部の前端部には上方へ立ち上がる前面板部が設けられていることを特徴とする請求項５に記載のディスプレイ装置。
【請求項７】
上記商品陳列棚本体部には、商品を上方から取り出し可能に収納するための商品収納体部が固定されており、上記商品収納体部には、上記商品収納体部内に商品が収納された状態で商品陳列棚本体部を上方へ引き上げ、上記一対の脚部を形成する上記一対の折曲端部を付勢力により上記商品陳列棚本体部の裏面方向に突出させうるつまみ部が形成されていることを特徴とする請求項６に記載のディスプレイ装置。
【考案の詳細な説明】
【技術分野】
【０００１】
本考案は、ディスプレイ装置の改良に関するものである。
【背景技術】
【０００２】
従来より、商品の搬送時に使用する商品の収納ケースをディスプレイとして活用ができるように構成されたものが使用されている。
【０００３】
このような商品の陳列機能も兼ね備えたディスプレイ装置は、当該装置の蓋を背部で立てて表示板として活用していたが、当該装置の構成上、後方にある商品が目立ち難いという不具合があった。
【０００４】
そこで、商品を陳列するための棚に雛壇状の段差を生じさせることによって、後方の商品も目立たせ、購買意欲を高めることが可能なディスプレイ装置が提案されている（例えば、特許文献１参照）。
【０００５】
しかしながら、このような従来のディスプレイ装置にあっては、商品を陳列するための棚に雛壇状の段差を生じさせるためには、外箱の中へ、Ｈ字形状の仕切枠を入れて前後に空間を仕切り、後ろの空間へ内箱を収納して、仕切枠に沿って天地へスライドできる状態にし、仕切枠中央の仕切板の背面板の下半分両側領域を後方へ折り出す事によって、内箱を乗せる為の側寄り台板を設け、側寄り台板の中央をゴムで繋ぐ事によって、内箱を引き上げればゴムの縮みで側寄り台板は背方へ折り出された状態が保持され、側寄り台板上に内箱を乗せる事によって雛段状となるように構成する必要があり、構造が複雑であると共に、かつ、商品を内箱に収納した状態のままで雛段状に形成することはできず、ディスプレイ準備作業が煩雑である、という不具合が存していた。
【特許文献１】特許第３６６２３２８号公報
【考案の開示】
【考案が解決しようとする課題】
【０００６】
本考案は、上記従来技術の有する問題点に鑑みなされたものであり、その目的とするところは、簡易な構造であってかつ、商品を載置したまま容易に商品陳列棚を設置することが可能なディスプレイ装置を提供することにある。
【課題を解決するための手段】
【０００７】
請求項１に記載の考案に係るディスプレイ装置は、底面板部と、上記底面板部に接合された背面板部と、上記底面板部及び上記背面板部に接合された一対の側面板部とを有するディスプレイ装置であって、上記底面板部上であって上記背面板部及び上記一対の側面板部内方に立設される商品陳列棚を有し、上記商品陳列棚は、上記背面板部及び上記一対の側面板部に当接する商品陳列棚本体部と、上記商品陳列棚本体部に回動可能に接合された一対の脚部と、上記一対の脚部を上記商品陳列棚本体部の下方方向へ常時突出させるように付勢する付勢部材とを備え、上記一対の脚部は、非使用時には、上記付勢部材の付勢力に抗して上記商品陳列棚本体部の裏面側に折曲配置される一方、使用時には、上記付勢部材の付勢力により上記商品陳列棚本体部の商品載置面部の下方方向に付勢されて突出し、上記商品陳列棚は上記底面板部上に立設されることを特徴とする。
【０００８】
従って、本考案に係るディスプレイ装置は、上記商品陳列棚が、上記背面板部及び上記一対の側面板部に当接する商品陳列棚本体部と、上記商品陳列棚本体部に回動可能に接合された一対の脚部と、上記一対の脚部を上記商品陳列棚本体部の下方方向へ常時突出させるように付勢する付勢部材とを備えていることから、上記一対の脚部は、非使用時には、上記付勢部材の付勢力に抗して上記商品陳列棚本体部の裏面側に折曲配置される一方、使用時には、上記付勢部材の付勢力により上記商品陳列棚本体部の商品載置面部の下方方向に付勢されて突出し、上記商品陳列棚を上記底面板部上に立設することができる。
【０００９】
請求項２に記載の考案に係るディスプレイ装置は、上記ディスプレイ装置は、上方が開放された全体箱状に形成され、上記商品陳列棚は、上記底面板部の平面上を部分的に被覆する大きさに形成され、上記商品陳列棚が上記底面板部上に立設された場合には、商品は上記底面板部及び上記商品陳列棚上の双方に載置されることを特徴とする。
【００１０】
従って、本考案に係るディスプレイ装置は、上記商品陳列棚が、上記底面板部の平面上を部分的に被覆する大きさに形成されていることから、上記商品陳列棚が上記底面板部上に立設された場合には、商品を上記底面板部及び上記商品陳列棚上の双方に載置することができる。
【００１１】
請求項３に記載の考案に係るディスプレイ装置は、上記商品陳列棚は、紙製板状であって平面全体略長方形状に形成され、上記一対の脚部は、上記商品陳列棚本体部の長さ方向両端部に形成された一対の折曲端部からなることを特徴とする。
【００１２】
従って、本考案に係るディスプレイ装置は、上記一対の脚部が、上記商品陳列棚本体部の長さ方向両端部に形成された一対の折曲端部からなることから、上記一対の折曲端部が脚部として機能し、上記商品陳列棚本体部を支持することができる。
【００１３】
請求項４に記載の考案に係るディスプレイ装置は、上記付勢部材は、ゴム紐からなり、上記一対の折曲端部には夫々係止部が設けられ、上記ゴム紐は、上記商品陳列棚本体部の表面側において上記係止部の間に張設され、非使用時には、上記一対の折曲端部は上記ゴム紐の付勢力に抗して裏面方向に折曲された状態で上記底面板部上に配置されていると共に、使用時には、上記商品陳列棚本体部を上昇させることにより、上記ゴム紐の付勢力により上記一対の折曲端部を上記商品陳列棚本体部の裏面方向に突出して上記一対の脚部を形成することを特徴とする。
【００１４】
従って、本考案に係るディスプレイ装置は、上記一対の折曲端部には夫々係止部が設けられ、上記ゴム紐が、上記商品陳列棚本体部の表面側において上記係止部の間に張設されていることから、非使用時には、上記一対の折曲端部は上記ゴム紐の付勢力に抗して裏面方向に折曲された状態で上記底面板部上に配置されていると共に、使用時には、上記商品陳列棚本体部を上昇させることにより、上記ゴム紐の付勢力により上記一対の折曲端部を上記商品陳列棚本体部の裏面方向に突出して上記一対の脚部を形成することができる。
【００１５】
請求項５に記載の考案に係るディスプレイ装置は、上記商品陳列棚本体部の長さ寸法は、上記底面板部の幅寸法と略同一に形成され、上記一対の折曲端部が、付勢力により上記商品陳列棚本体部の裏面側に突出した場合には、上記一対の折曲端部は、先端部が上記一対の側面板部の下端部に圧接する状態で上記底面板部上に立ち上がることを特徴とする。
【００１６】
従って、本考案に係るディスプレイ装置は、上記商品陳列棚本体部の長さ寸法は、上記底面板部の幅寸法と略同一に形成されていることから、上記一対の折曲端部が、付勢力により上記商品陳列棚本体部の裏面側に突出した場合には、上記一対の折曲端部の先端部が上記一対の側面板部の下端部に圧接する状態で上記底面板部上に立ち上げることができる。
【００１７】
請求項６に記載の考案に係るディスプレイ装置は、上記底面板部の前端部には上方へ立ち上がる前面板部が設けられていることを特徴とする。
【００１８】
従って、本考案に係るディスプレイ装置は、上記底面板部の前端部には上方へ立ち上がる前面板部が設けられていることから、上記商品陳列棚本体部の商品載置面部に商品を載置した場合には、上記前面板部が抑えとなり上記商品陳列棚本体部の縁部より外方に商品がはみ出ないようにすることができる。
【００１９】
請求項７に記載の考案に係るディスプレイ装置は、上記商品陳列棚本体部には、商品を上方から取り出し可能に収納するための商品収納体部が固定されており、上記商品収納体部には、上記商品収納体部内に商品が収納された状態で商品陳列棚本体部を上方へ引き上げ、上記一対の脚部を形成する上記一対の折曲端部を付勢力により上記商品陳列棚本体部の裏面方向に突出させうるつまみ部が形成されていることを特徴とする。
【００２０】
従って、本考案に係るディスプレイ装置は、上記商品陳列棚本体部には、商品を上方から取り出し可能に収納するための商品収納体部が固定されており、上記商品収納体部には、利用者が把持することが可能なつまみ部が形成されていることから、上記商品収納体部内に商品が収納された状態で、上記つまみ部を把持して上記商品陳列棚本体部を上方へ引き上げ、上記一対の脚部を形成する上記一対の折曲端部を付勢力により上記商品陳列棚本体部の裏面方向に突出させることができる。
【考案の効果】
【００２１】
請求項１に記載の考案にあっては、上記商品陳列棚が、上記背面板部及び上記一対の側面板部に当接する商品陳列棚本体部と、上記商品陳列棚本体部に回動可能に接合された一対の脚部と、上記一対の脚部を上記商品陳列棚本体部の下方方向へ常時突出させるように付勢する付勢部材とを備えていることから、上記一対の脚部は、非使用時には、上記付勢部材の付勢力に抗して上記商品陳列棚本体部の裏面側に折曲配置される一方、使用時には、上記付勢部材の付勢力により上記商品陳列棚本体部の商品載置面部の下方方向に付勢されて突出し、上記商品陳列棚を上記底面板部上に立設することができるので、全体構造が簡易であると共に、上記商品陳列棚上に商品を載置した状態で、状況に応じて上記一対の脚部を折曲又は立設することにより、上下自在に移動させて、商品の収納状態と商品のディスプレイ状態とを形成することができる。
【００２２】
その結果、上記ディスプレイ装置の非使用時には、上記一対の脚部を折曲して上記商品陳列棚を折畳み、上記ディスプレイ装置内に商品を載置した状態で搬送することができるので、商品の梱包の手間が省け搬送にかかるコストを大幅に削減することができる。
【００２３】
また、上記ディスプレイ装置の使用時には、上記一対の脚部を立設するだけで容易にディスプレイ装置として利用することができるので、販売店側の商品陳列にかかる作業時間を大幅に削減することができる。
【００２４】
請求項２に記載の考案にあっては、上記商品陳列棚が、上記底面板部の平面上を部分的に被覆する大きさに形成されていることから、上記商品陳列棚が上記底面板部上に立設された場合には、商品を上記底面板部及び上記商品陳列棚上の双方に載置することができるので、上記底面板部上に載置された商品と共に、上記商品陳列棚上に載置された商品も効果的にアピールすることができ、消費者の購買意欲を高めることができる。
【００２５】
また、上記商品陳列棚が雛壇状に形成されているので、商品をアピールしやすく良好なディスプレイ効果を得ることができる。
【００２６】
請求項３に記載の考案にあっては、上記一対の脚部が、上記商品陳列棚本体部の長さ方向両端部に形成された一対の折曲端部からなることから、上記一対の折曲端部が脚部として機能し、上記商品陳列棚本体部を支持することができるので、上記商品陳列棚本体部上に商品を載置した状態で、安定して上記商品陳列棚を雛壇状に形成することができる。
【００２７】
請求項４に記載の考案にあっては、上記一対の折曲端部には夫々係止部が設けられ、上記ゴム紐が、上記商品陳列棚本体部の表面側において上記係止部の間に張設されていることから、非使用時には、上記一対の折曲端部は上記ゴム紐の付勢力に抗して裏面方向に折曲された状態で上記底面板部上に配置されていると共に、使用時には、上記商品陳列棚本体部を上昇させることにより、上記ゴム紐の付勢力により上記一対の折曲端部を上記商品陳列棚本体部の裏面方向に突出して上記一対の脚部を形成することができるので、故意に上記一対の折曲端部を裏面方向に折曲しない限りは、自動的に上記一対の脚部を形成することができると共に、上記一対の脚部が形成された状態を維持することができる。
【００２８】
請求項５に記載の考案にあっては、上記商品陳列棚本体部の長さ寸法は、上記底面板部の幅寸法と略同一に形成されていることから、上記一対の折曲端部が、付勢力により上記商品陳列棚本体部の裏面側に突出した場合には、上記一対の折曲端部の先端部が上記一対の側面板部の下端部に圧接する状態で上記底面板部上に立ち上げることができるので、上記商品陳列棚本体部を上記一対の脚部だけでなく、上記背面板部及び上記一対の側面板部でも支えることができる。
【００２９】
その結果、商品の荷重に対する強度を高めることができ、商品を陳列した状態を安定して保持することができる。
【００３０】
請求項６に記載の考案にあっては、上記底面板部の前端部には上方へ立ち上がる前面板部が設けられていることから、上記商品陳列棚本体部の商品載置面部に商品を載置した場合には、上記前面板部が抑えとなり上記商品陳列棚本体部の縁部より外方に商品がはみ出ないようにすることができるので、上記商品陳列棚本体部からの商品の落下を確実に且つ容易に防止することができる。
【００３１】
請求項７に記載の考案にあっては、上記商品陳列棚本体部には、商品を上方から取り出し可能に収納するための商品収納体部が固定されており、上記商品収納体部には、利用者が把持することが可能なつまみ部が形成されていることから、例えば、本考案に係るディスプレイ装置に商品が収納されて搬送されてきた状態のままで、上記つまみ部を把持して上記商品陳列棚本体部を上方へ引き上げことのみで、上記一対の脚部を形成する上記一対の折曲端部を付勢力により上記商品陳列棚本体部の裏面方向に突出させることができるので、容易かつ迅速に、改めて商品を陳列することなく商品ディスプレイを行うことができる。
【００３２】
また、上記商品収容体部が設けられていることにより、上記商品収納体部に収納するだけで確実に商品を陳列することができると共に、商品の落下を容易に防止することができるという利点がある。
【図面の簡単な説明】
【００３３】
【図１】本考案に係るディスプレイ装置の一実施の形態を示し、本実施形態に係るディスプレイ装置を示した斜視図である。
【図２】本考案に係るディスプレイ装置の一実施の形態を示し、本実施形態に係るディスプレイ装置の構成要素の一つである商品陳列棚を示した平面図である。
【図３】本考案に係るディスプレイ装置の一実施の形態を示し、本実施形態に係るディスプレイ装置の構成要素の一つである商品陳列棚を示した斜視図である。
【図４】本考案に係るディスプレイ装置の一実施の形態を示し、本実施形態に係るディスプレイ装置に商品収納体部を固定した状態を示した斜視図である。
【図５】本考案に係るディスプレイ装置の一実施の形態を示し、本実施形態に係るディスプレイ装置に商品収納体部を固定し、商品を収納した状態を示した斜視図である。
【図６】本考案に係るディスプレイ装置の一実施の形態を示し、本実施形態に係るディスプレイ装置に商品収納体部を固定し、商品を収納した状態を示した斜視図である。
【図７】本考案に係るディスプレイ装置の一実施の形態を示し、本実施形態に係るディスプレイ装置の梱包から開封までの各手順（ａ）〜（ｍ）を示した図である。
【考案を実施するための最良の形態】
【００３４】
以下、本考案に係るディスプレイ装置を実施の形態に基づき、図面を参照して詳細に説明する。なお、本考案のディスプレイ装置は、以下の実施形態に限定されるものではなく、本考案の要旨を逸脱しない範囲内において種々変更を加え得ることは可能である。
【００３５】
まず、本考案に係るディスプレイ装置の構成について説明する。
【００３６】
図１に示すように、本考案に係るディスプレイ装置１０は、上方が開放された紙製の全体箱状に形成され、底面板部１１と、底面板部１１に接合された背面板部１２と、底面板部１１及び背面板部１２に接合された一対の側面板部１３、１３と、底面板部１１上であって背面板部１２及び一対の側面板部１３、１３内方に立設される商品陳列棚１４と、底面板部１１及び一対の側面板部１３、１３に接合された前面板部１５とを備えている。
【００３７】
図１〜図３に示すように、商品陳列棚１４は、紙製板状であって平面全体略長方形状に形成され、背面板部１２及び一対の側面板部１３、１３に当接する商品陳列棚本体部１６と、商品陳列棚本体部１６に回動可能に接合された一対の脚部１７、１７と、一対の脚部１７、１７を商品陳列棚本体部１６の下方方向へ常時突出させるように付勢する付勢部材を構成するゴム紐１８ａ、１８ｂとを備えている。一対の脚部１７、１７は、商品陳列棚本体部１６の長さ方向両端部に形成された一対の折曲端部２２ａ、２２ｂからなる。
【００３８】
商品陳列棚１４は、図１に示すように、底面板部１１の平面上を部分的に被覆する大きさに形成され、商品陳列棚１４が底面板部１１上に立設された場合には、底面板部１１及び商品陳列棚１４上の双方に商品を載置することができる。
【００３９】
図１〜図３に示すように、商品陳列棚本体部１６は、その略中央部には、ゴム紐１８ａ、１８ｂを固定する、互いに対向するコ字状係止部１９、２０が所定間隔を置いて配設されている。コ字状係止部１９、２０は、夫々、商品陳列棚本体部１６をコ字状に切起こして形成され、コ字状係止部１９、２０を画成するスリットの先端部に孔部４３ａ、４３ａ、４３ｂ、４３ｂが開設されている。
【００４０】
また、長さ方向両端部には、一対の脚部１７、１７を形成する折曲端部２２ａ、２２ｂには、平面略長方形状の縦長長方形穴部２４、２４が形成され、縦長長方形穴部２４、２４の内方辺部には長さ方向における端部方向へ突出した、コ字状係止部１９、２０の長さ寸法と略同一の長さ寸法を有する平面略長方形状の凸状係止部２５ａ、２５ｂが形成されている。
【００４１】
また、折曲端部２２ａ、２２ｂを折曲しうる折曲線４４、４４には、折曲端部２２ａ、２２ｂを折り曲げ、脚部１７、１７として形成した場合に形成される側方突出部４５ａ、４５ｂには、凸状係止部２５ａ、２５ｂの長さ寸法と同一の間隔寸法に半円状切込部２１ａ、２１ａ、２１ｂ、２１ｂ  が形成されている。
【００４２】
従って、本実施の形態にあっては、一本のゴム紐１８ａは、一方の凸状係止部２５ａに一端部が係止されると共に、２１ａ、２１ａを介して、他端部はコ字状係止部１９のスリットに掛け回されて孔部４３ａ、４３ａに係止されている。
【００４３】
また、他方のゴム紐１８ｂは、他方の凸状係止部２５ｂに一端部が係止されると共に、２１ｂ、２１ｂを介して、他端部はコ字状係止部２０のスリットに掛け回されて孔部４３ｂ、４３ｂに係止されている。
【００４４】
その結果、本実施の形態にあっては、一本のゴム紐１８ａは、コ字状係止部１９と凸状係止部２５ａとの間に張設されて、折曲端部２２ａを常時、長さ方向内方に付勢しており、他方のゴム紐１８ｂは、コ字状係止部２０と凸状係止部２５ｂとの間に張設されて、折曲端部２２ｂを常時、長さ方向内方に付勢している。
【００４５】
また、折曲線４４、４４の間の長さ寸法Ａは、底面板部１１の幅寸法Bと略同一に形成されている。
【００４６】
従って、本実施の形態にあっては、一対の折曲端部２２ａ、２２ｂは、商品陳列棚１４の非使用時には、付勢部材１８ａ、１８ｂの付勢力に抗して裏面方向に折曲された状態で底面板部１１上に配置されているが、使用時には、図１〜図３に示すように、一対の折曲端部２２ａ、２２ｂは、商品陳列棚本体部１６を上昇させるため、ゴム紐１８ａ、１８ｂの付勢力により商品陳列棚本体部１６の裏面側に突出し、先端部２３、２３が上記一対の側面板部の下端部に圧接する状態で上記底面板部１１上に立ち上がり、一対の脚部１７、１７が形成される。
【００４７】
なお、上述した本実施形態にかかるディスプレイ装置１０においては、商品陳列棚１４上に商品を載置する装置を例に挙げて説明したが、例えば、図４に示すように、商品を上方から取り出し可能に収納するための商品収納体部２７が、商品陳列棚１４上に固定されてもよく、その場合であっても本実施形態と同様の作用及び効果を得ることができる。
【００４８】
図４に示すように、商品収納体部２７は、上方が開放された紙製の全体箱状に形成され、底面板部２８と、底面板部２８に接合された背面板部２９と、底面板部２８及び背面板部２９に接合された一対の側面板部３０、３０と、底面板部２８及び一対の側面板部３０、３０に接合された前面板部３１と、一対の側面板部３０、３０の上方縁部に接合されたつまみ部３２、３２と、前面板部３１の下方端縁部の両端側付近に接合された一対の凸状係止部３８とを備えている。
【００４９】
また、図４に示すように、平面略半円状の商品収納体部２７につまみ部３２、３２が形成されることにより、商品収納体部２７内に商品が収納された状態でつまみ部３２、３２を把持して商品陳列棚本体部１６を上方へ引き上げ、一対の脚部１７、１７を形成する一対の折曲端部２２ａ、２２ｂを付勢力により、商品陳列棚本体部１６の裏面方向に突出させることができ、容易に商品陳列棚１６を形成することができる。
【００５０】
本実施形態に係るディスプレイ装置１０においては、商品収容体部２７が設けられていることにより、図５及び図６に示すように、商品収納体部２７に収納するだけで確実に商品２６を陳列することができると共に、商品２６の落下を容易に防止することができる。
【００５１】
また、図４に示すように、平面略長方形状の一対の凸状係止部３８が形成されることにより、一対の凸状係止部３８の裏面側に商品陳列棚本体部１６の前方端縁部を当接させて、商品陳列棚１４からの商品収納体部２７の落下を容易に防止することができる。
【００５２】
なお、上述した本実施形態にかかるディスプレイ装置１０においては、図１及び図４に示すように、背面板部１２、一対の側面板部１３、１３及び前面板部１５の各下方端縁部に接合された底面板部形成片部３９、４０、４１、４２を組み合わせて折り込むことにより形成された底面板部１１を備えたディスプレイ装置１０を例に挙げて説明したが、底面板部１１が紙製の平面方形状の一枚板状に形成されてもよい。
【００５３】
また、ディスプレイ装置１０を構成する各部材の素材として、紙製材以外に、例えば適度な可撓性を有するプラスチック製材が用いられてもよく、その場合であっても本実施形態と同様の作用及び効果を得ることができる。
【００５４】
次に、本実施形態に係るディスプレイ装置１０の使用方法について説明する。
【００５５】
まず、図７（ａ）に示すディスプレイ装置１０に、（ｂ）に示すように一対の凸状係止部３３、３３が側面側下端縁部３４、３４に接合された梱包材３５を上方から被せ、（ｃ）に示すようにディスプレイ装置１０を梱包材３５で被覆した状態で、（ｄ）に示すようにディスプレイ装置１０の差込口３６、３６に一対の凸状係止部３３、３３を挿入し、（ｅ）に示すようにディスプレイ装置１０及び梱包材３５を固定する。
【００５６】
次いで、図７（ｆ）に示すようにディスプレイ装置１０の底面板部１１上に不使用状態の商品陳列棚１４を、脚部１７、１７（図示せず）を形成する一対の折曲端部２２ａ、２２ｂ（図示せず）を折りたたんだ状態で載置し、（ｇ）に示すように内部に複数の商品２６が収納された状態で商品収納体部２７を商品陳列棚１４（図示せず）上に載置し、（ｈ）に示すように底面板部１１上の空きスペースにも商品２６を載置して、（ｉ）に示すように梱包材３５の開口部を形成する４枚の折畳辺部を折りたたんでテープ材３７で梱包する。この状態で、例えば、宅配便等によりディスプレイを実施する店舗、会社等へ適宜郵送することができる。
【００５７】
次いで、図７（ｊ）に示す梱包済みの梱包材３５の一対の凸状係止部３３、３３を、（ｋ）及び（ｌ）に示すように把持して梱包材３５から完全に剥離し、（ｍ）に示すように梱包材３５を上方に持ち上げ、図５に示すようにディスプレイ装置１０から梱包材３５（図示せず）を外す。
【００５８】
最後に、図６に示すように、商品収納体部２７内に商品２６が収納された状態でつまみ部３２、３２を把持して人手により商品陳列棚１４を上方へ引き上げる。
【００５９】
この場合、図３に示すように、商品陳列棚１４においては、ゴム紐１８ａ、１８ｂの夫々の付勢力により、一対の折曲端部２２ａ、２２ｂが外方へ拡開し、一対の脚部１７、１７を形成する。
【００６０】
この脚部１７、１７により商品陳列棚本体部１６は、図６に示すように、商品２６を載置した状態のままで底面板部１１の上方へ上昇するため、いわゆるひな壇を形成し、底面板部１１上に載置された商品２６よりも高い位置で商品２６を展示することができ、購買者等に対して商品を立体的にアピールさせ、購買意欲を高めることができる。
【００６１】
その結果、店頭等において、図６に示すような立体的なディスプレイ装置１０を手軽かつ迅速に形成、設置することができる。
【産業上の利用可能性】
【００６２】
本考案に係るディスプレイ装置は、上記ディスプレイ装置の非使用時には、上記一対の脚部を折曲して上記商品陳列棚を折畳み、上記ディスプレイ装置内に商品を載置した状態で搬送することができるので、商品の梱包の手間が省け搬送にかかるコストを大幅に削減することができ、また、上記ディスプレイ装置の使用時には、上記一対の脚部を立設するだけで容易にディスプレイ装置として利用することができるので、販売店側の商品陳列にかかる作業時間を大幅に削減することができるので、ディスプレイ装置として極めて有用であることから、産業上の利用可能性を有している。
【符号の説明】
【００６３】
１０    ディスプレイ装置
１１    底面板部
１２    背面板部
１３    一対の側面板部
１４    商品陳列棚
１５    前面板部
１６    商品陳列棚本体部
１７    一対の脚部
１８ａ    付勢部材（ゴム紐）
１８ｂ    付勢部材（ゴム紐）
１９    コ字状係止部
２０    コ字状係止部
２１ａ  半円状切込部
２１ｂ  半円状切込部
２２ａ    一対の折曲端部
２２ｂ    一対の折曲端部
２３    先端部
２４    縦長長方形穴部
２５ａ    凸状係止部
２５ｂ    凸状係止部
２６    商品
２７    商品収納体部
２８    底面板部
２９    背面板部
３０    一対の側面板部
３１    前面板部
３２    つまみ部
３３    一対の凸状係止部
３４    側面側下端縁部
３５    梱包材
３６    差込口
３７    テープ材
３８    一対の凸状係止部
３９    底面板部形成片部
４０    底面板部形成片部
４１    底面板部形成片部
４２    底面板部形成片部
４３ａ  孔部
４３ｂ  孔部
４４  折曲線
４５ａ  側方突出部  
４５ｂ  側方突出部
【図１】
0003187285.tif 000003
【図２】
0003187285.tif 000004
【図３】
0003187285.tif 000005
【図４】
0003187285.tif 000006
【図５】
0003187285.tif 000007
【図６】
0003187285.tif 000008
【図７】
0003187285.tif 000009
【手続補正書】
【提出日】平成25年9月19日(2013.9.19)
【手続補正１】
【補正対象書類名】図面
【補正対象項目名】図７
【補正方法】変更
【補正の内容】
【図７】
0003187285.tif 000010